(57)【要約】  電気コネクタアセンブリは、プリント回路基板と、プリント回路基板に結合されるヘッダーと、ヘッダーに噛み合うように構成されるキャリアと、キャリアによって保持される複数の電気ケーブルアセンブリと、を備える。プリント回路基板は、プリント回路基板グランドコンタクトを有する。ヘッダーは、複数のコンタクトピンを備える。各電気ケーブルアセンブリは、電気ケーブル端子と、電気ケーブル端子に結合される電気ケーブルと、を備える。ヘッダーとキャリアが噛み合った構成にあるときに、電気ケーブル端子の各々が、コンタクトピンの少なくとも１つ及びプリント回路基板グランドコンタクトと電気的に接触するように、ヘッダーと電気ケーブル端子が構成される。キャリアは、電気ケーブルの少なくとも一部分を互いに分離するように構成される複数の分離素子を有する保持クリップを含む。【選択図】図１
2012503297.tif 000002
【特許請求の範囲】
【請求項１】
プリント回路基板グランドコンタクトを有するプリント回路基板と、
前記プリント回路基板に結合され、複数のコンタクトピンを備えるヘッダーと、
前記ヘッダーと噛み合うように構成されるキャリアと、
前記キャリアによって保持される複数の電気ケーブルアセンブリであって、各電気ケーブルアセンブリが電気ケーブル端子と、前記電気ケーブル端子に結合される電気ケーブルとを備える電気ケーブルアセンブリと、を備え、
前記ヘッダーと前記電気ケーブル端子は、前記ヘッダーと前記キャリアが噛み合った構成にあるときに、前記電気ケーブル端子の各々が、前記コンタクトピンの少なくとも１つ及びプリント回路基板グランドコンタクトと電気的に接触するように構成され、前記キャリアは、前記電気ケーブルの少なくとも一部分を互いに分離するように構成される複数の分離素子を有する保持クリップを含む、電気コネクタアセンブリ。
【請求項２】
前記プリント回路基板グランドコンタクトが、複数のグランドピンの１つ以上と、導電性ストリップと、複数のグランドパッドと、を備える、請求項１に記載の電気コネクタアセンブリ。
【請求項３】
前記プリント回路基板グランドコンタクトが、前記プリント回路基板の端部に近接して配置される、請求項１に記載の電気コネクタアセンブリ。
【請求項４】
前記ヘッダーが表面実装ピンヘッダーである、請求項１に記載の電気コネクタアセンブリ。
【請求項５】
前記ヘッダーがスルーホールピンヘッダーである、請求項１に記載の電気コネクタアセンブリ。
【請求項６】
前記電気コネクタアセンブリが線毎に約３  Ａ未満の配電容量を有する、請求項１に記載の電気コネクタアセンブリ。
【請求項７】
キャリアと、
前記キャリアによって保持される複数の電気ケーブルアセンブリであって、各電気ケーブルアセンブリが、電気ケーブル端子と、前記電気ケーブル端子に結合される電気ケーブルとを備える電気ケーブルアセンブリと、を備え、
前記キャリアは、前記電気ケーブルの少なくとも一部分を互いに分離するように構成される複数の分離素子を有する保持クリップを含む、電気コネクタ。
【請求項８】
前記電気ケーブルが、１つ以上の伝導体と、前記１つ以上の伝導体を取り囲むグランドシールドと、を備える、請求項７に記載の電気コネクタ。
【請求項９】
前記分離素子並びに、前記１つ以上の伝導体及び前記グランドシールドの１つ又は両方が、配電を容易にするように構成される、請求項８に記載の電気コネクタ。
【請求項１０】
前記分離素子が、前記１つ以上の伝導体及び前記グランドシールドの１つ又は両方の露出部分を分離するように構成される、請求項８に記載の電気コネクタ。
【請求項１１】
前記分離素子が前記電気ケーブルを組織化するように構成される、請求項７に記載の電気コネクタ。
【請求項１２】
前記分離素子が、歪みレリーフを前記電気ケーブルに供給するように構成される、請求項７に記載の電気コネクタ。
【請求項１３】
前記電気コネクタが線毎に約３  Ａ未満の配電容量を有する、請求項７に記載の電気コネクタ。
【請求項１４】
前記複数の電気ケーブルアセンブリが、前記キャリアから個別に取り外し可能である、請求項７に記載の電気コネクタ。
【請求項１５】
前記複数の電気ケーブルアセンブリが、前記キャリアから一群として取り外し可能である、請求項７に記載の電気コネクタ。
【請求項１６】
前記複数の電気ケーブルアセンブリが、同軸ケーブルアセンブリ及び２軸ケーブルアセンブリからなる群から選択される、請求項７に記載の電気コネクタ。
【請求項１７】
前記保持クリップ及び前記キャリアが、前記保持クリップと前記キャリアを組み立て構成に保持するように構成される協同ラッチ素子を更に含む、請求項７に記載の電気コネクタ。
【請求項１８】
キャリアと、前記キャリアによって保持される複数の電気ケーブルアセンブリとを備える電気コネクタを供給することであって、各電気ケーブルアセンブリが、電気ケーブル端子と、前記電気ケーブル端子に結合される電気ケーブルとを備える、電気コネクタを供給することと、
各分離素子が２本の隣接する電気ケーブルの少なくとも一部分の間に配置されるように、複数の分離素子を有する保持クリップを配置することと、
前記保持クリップを前記電気コネクタに組み付けることと、を含む、方法。
【請求項１９】
前記保持クリップを前記電気コネクタに組み付けることが、
前記保持クリップを、前記電気ケーブルに沿って前記電気コネクタに向けて摺動させることと、
前記保持クリップを旋回させることと、
前記保持クリップを、前記電気コネクタ上へスナップさせることと、を含む、請求項１８に記載の方法。
【請求項２０】
前記組み付けが、スナップ嵌め、摩擦嵌め、プレス嵌め、機械的なクランピング、及び接着のうち１つを含む、請求項１８に記載の方法。
【発明の詳細な説明】
【技術分野】
【０００１】
本発明は、プリント回路基板と高速電気コネクタとの間で成される相互接続に関する。より具体的には、本発明は、プリント回路基板と電気ケーブルとの間に接触を確立するためのプリント回路基板−コネクタの組合せに関する。
【背景技術】
【０００２】
集積回路を、他の回路基板、ケーブル、又は他の電子デバイスに相互接続することは、当該技術分野において周知である。そのような相互接続は、通常、特に信号が相互接続部内又はプリント回路基板上の導電体の中を伝搬するのに必要な延べ時間と比較して、回路のスイッチング速度（エッジレート又は信号立ち上がり時間とも呼ばれる）が低速であったときには、形成するのが困難ではなかった。しかしながら、回路のスイッチング速度は、現代の集積回路及び関連するコンピュータ技術と共に向上し続けているため、十分な相互接続部の設計及び製作がより困難となってきた。
【０００３】
具体的には、信号の保全性に対する十分な制御を達成するように、綿密に制御された電気的特性を有するプリント回路基板及びそれに随伴する相互接続を設計し製作することが、今まで以上に求められている。さらに、電気ケーブルを、相互接続システムの保全性を危うくすることなく適切に接続することができるように、相互接続を設計することが求められている。
【０００４】
不都合にも、現在利用可能な高速相互接続の解決法は通常複雑であり、極めて正確な構成要素設計が必要となるが、その構成要素設計は、小さな製造変動にも非常に影響を受けやすく、結果として、製造が高額及び困難となる。高速集積回路に必要なインピーダンス制御を供給し、適切な電気ケーブル接続を容易にする一方、製造が安価で平易なプリント回路基板相互接続システムが求められている。
【発明の概要】
【０００５】
一態様では、本発明は、プリント回路基板と、プリント回路基板に結合されるヘッダーと、ヘッダーと噛み合うように構成されるキャリアと、キャリアによって保持される複数の電気ケーブルアセンブリと、を備える電気コネクタアセンブリを提供する。プリント回路基板は、プリント回路基板グランドコンタクトを有する。ヘッダーは、複数のコンタクトピンを含む。各電気ケーブルアセンブリは、電気ケーブル端子と、電気ケーブル端子に結合される電気ケーブルと、を備える。ヘッダーと電気ケーブル端子は、ヘッダーとキャリアが噛み合った構成にあるときに、電気ケーブル端子の各々が、コンタクトピンの少なくとも１つ及びプリント回路基板グランドコンタクトと電気的に接触するように構成されている。キャリアは、電気ケーブルの少なくとも一部分を互いに分離するように構成される複数の分離素子を有する保持クリップを含む。
【０００６】
別の態様では、本発明は、キャリアと、キャリアによって保持される複数の電気ケーブルアセンブリと、を備える電気コネクタを提供する。各電気ケーブルアセンブリは、電気ケーブル端子と、電気ケーブル端子に結合される電気ケーブルと、を備える。キャリアは、電気ケーブルの少なくとも一部分を互いに分離するように構成される複数の分離素子を有する保持クリップを含む。
【０００７】
別の態様では、本発明は、電気コネクタを供給することと、保持クリップを配置することと、保持クリップを電気コネクタに組み付けることと、を含む方法を提供する。電気コネクタは、キャリアと、キャリアによって保持される複数の電気ケーブルアセンブリと、を備える。各電気ケーブルアセンブリは、電気ケーブル端子と、電気ケーブル端子に結合される電気ケーブルと、を備える。保持クリップは、複数の分離素子を有する。各分離素子を、２本の隣接する電気ケーブルの少なくとも一部分の間に配置する。
【０００８】
上記の本発明の概要は、本発明の開示した各実施形態又は全ての実現形態を説明することを意図したものではない。添付図及び以下の詳細な説明により、例証的な実施形態をより具体的に例示する。
【図面の簡単な説明】
【０００９】
【図１】本発明の一態様による電気コネクタアセンブリの代表的な実施形態の、部分的分解上部斜視図。
【図２】図１の電気コネクタアセンブリの上部斜視図。
【図３Ａ】図１の電気コネクタアセンブリの保持クリップの斜視図。
【図３Ｂ】図１の電気コネクタアセンブリの保持クリップの斜視図。
【図３Ｃ】図１の電気コネクタアセンブリの保持クリップの斜視図。
【図４】図１の電気コネクタアセンブリの一部分の下部斜視図。
【図５】図１の電気コネクタアセンブリの一部分の背面図。
【発明を実施するための形態】
【００１０】
以下に、好ましい実施形態について詳しく説明する中で、その一部を成す添付の図面を参照する。添付の図面は、実例として、本発明が実施されてもよい具体的な実施形態を示す。他の実施形態を使用してもよく、また本発明の範囲から逸脱することなく構造上又は論理上の変更を成してもよいことが理解されるものである。したがって、以下の詳細な説明は、限定的な意味で解釈されるべきではなく、また、本発明の範囲は、添付特許請求の範囲によって定義される。
【００１１】
分かりやすくするために、本発明の態様は、本明細書では、２軸ケーブル及び２軸ケーブル端子と共に用いるものとして説明及び例示されている。しかし、このような実例は代表的なものに過ぎず、その他のタイプの電気ケーブル及びそれに付随する電気ケーブル端子を用いることができると理解されると共に、かつ、そのように意図されており、他のタイプとしては、同軸ケーブル、並びに、信号素子及びグランド素子を有するその他のケーブル構成が挙げられるが、これらに限定されない。
【００１２】
図１及び図２は、本発明の実施形態による電気コネクタアセンブリの代表的な実施形態を例示している。電気コネクタアセンブリ２は、プリント回路基板グランドコンタクト１２を有するプリント回路基板４を備える。プリント回路基板グランドコンタクト１２は、プリント回路基板４の端部４ａに近接して配置される導電性ストリップを含む。他の実施形態では、プリント回路基板グランドコンタクト１２は、複数のグランドピンの１つ以上と、導電性ストリップと、複数のグランドパッドと、を備える。電気コネクタアセンブリ２は、プリント回路基板４に結合されるヘッダー６を更に備える。ヘッダー６は、プリント回路基板４に装着される第１ピン端部１４ａから第２ピン端部１４ｂに延びる、複数のコンタクトピン１４を備える。ヘッダー６は、本明細書では、表面実装ピンヘッダーとして図示及び説明されているが、ヘッダー６は、スルーホールピンヘッダー、又は当該技術分野において既知である、他の任意の好適なタイプのヘッダーであってもよい。ヘッダーは、通例、例えば、３Ｍ  Ｃｏｍｐａｎｙ（Ｓｔ．Ｐａｕｌ，ＭＮ）を含む、多様な供給源から入手可能である。通例入手可能なヘッダー６は、コンタクトピン１４の２列１６ａ、１６ｂを含む。通常、ピンの１列を、プリント回路基板４の接地平面（不図示）に接続する一方、ピンの第２列を、プリント回路基板４上の信号トレース（不図示）に接続する。最も通例的には、第１列１６ａ（プリント回路基板４から最も遠い列）を、接地平面に接続する一方、第２列１６ｂ（プリント回路基板４に最も近い列）を、プリント回路基板４の信号トレースに接続する。列１６ａ及び１６ｂのコンタクトピン１４の種々の組合せを、任意の数の方法でプリント回路基板４に電気的に接続させてよく、信号、電力、又は接地接続を容易にしてよい。
【００１３】
本発明の一実施形態では、コンタクトピン１４の第１列１６ａは、追加の機械的安定性をヘッダー６に添えるためにのみプリント回路基板４に固定される。すなわち、列１６ａのコンタクトピン１４を、プリント回路基板４上のどの素子にも電気的には接続させず、除去することができる。列１６ａのコンタクトピン１４は、交互に（alternately）プリント回路基板４の接地平面と電気的に接触したままでよい。第１列１６ａは、相互接続を通じて最も長い非遮蔽経路を有する列であり、そのため、第２列１６ｂのコンタクトピン１４は、プリント回路基板４上の信号トレースへの電気的接続のために好ましく用いられることに留意されたい。ピンの単独列のみを有するヘッダーは、図に例示する通り、コンタクトピン１４の第２列以外の手段によりプリント回路基板４上に固定されるヘッダーと共に、用いることができるのも認識されるであろう。
【００１４】
第２列１６ｂのコンタクトピン１４を、複数の信号コンタクトパッド（不図示）を通じてプリント回路基板４に電気的に接続する。列１６ｂの各コンタクトピン１４の第１端部１４ａを、信号コンタクトパッドの１つに接続する。図１及び図２に例示する通り、プリント回路基板４は、同様に配置される信号パッド及びプリント回路基板グランドコンタクト１２と共に、ヘッダー６をプリント回路基板４の両面に備えてよい。
【００１５】
図１及び図２に見られる通り、電気コネクタアセンブリ２は、ヘッダー６と噛み合うように構成されるキャリア８及び、キャリア８によって保持される複数の電気ケーブルアセンブリ１０も備える。各電気ケーブルアセンブリ１０は、電気ケーブル端子１８と、電気ケーブル端子１８に結合される電気ケーブル２０と、を備える。ヘッダー６及び電気ケーブル端子１８は、ヘッダー６とキャリア８とが噛み合った構成にあるときに、電気ケーブル端子１８の各々が、コンタクトピン１４の少なくとも１つ及びプリント回路基板グランドコンタクト１２に電気的に接触するように、構成される。
【００１６】
キャリア８と併せて用いることができる電気ケーブル端子は、米国特許第５，１８４，９６５号に記載されている同軸ケーブル用の遮蔽制御インピーダンス（ＳＣＩ）コネクタと実質的に同様に構築することができ、当該特許は、参照により本明細書に組み込まれる。複数の電気ケーブル端子１８の各々を、噛み合うコンタクトピン１４の第２端部１４ｂを受けるように適合させる。各電気ケーブル端子１８は、キャリア８がヘッダー６を係合すると、プリント回路基板４上のプリント回路基板グランドコンタクト１２と電気的に接触するためのリーディングエッジ１８ａに近接するコンタクトビーム２２を含む。この様式では、プリント回路基板４から電気ケーブル２０への電気経路は、できるだけ短く作られており、そのため、他の方法では表面実装ヘッダー６で予期されるものに対するキャリア８の性能を劇的に改善する。
【００１７】
図１及び図２に例示する実施形態では、キャリア８を、プリント回路基板４のいずれかの面に配置される１つのキャリア８と共に、各ヘッダー６のためにプリント回路基板４上に提供する。プリント回路基板４のいずれかの面でのキャリア８の使用は、プリント回路基板４と電気ケーブル端子１８との間の機械的接触力の平衡を保つのに好ましく、そのため、経時的なプリント回路基板４の曲がり又は反りを防ぐ。
【００１８】
プリント回路基板４の反対面上に定置されるキャリア８は、キャリア８をヘッダー６と適切に揃えるためのガイド２４を含む。キャリア８は、キャリア８をプリント回路基板４上に独立して「浮動」させるのを可能にする、複数のばち形２６（図４及び図５に示す通り）又は他の手段（不図示）によるなど、互いに対して好ましく弾力的に固定される。プリント回路基板４上で浮動する能力により、工業界では標準的な、プリント回路基板厚の変動の調節ができる。キャリア８は、プリント回路基板４を保持する電子部品（不図示）にキャリア８を固定するためのねじ（不図示）を受けるための取付タブ又はイヤー２８も含む。
【００１９】
キャリア８は、各電気ケーブルアセンブリ１０をキャリア８の対応する空洞３８内に保持するために構成される保持クリップ３０（図３Ａ〜３Ｃに最良に例示する通り）を含む。各電気ケーブルアセンブリ１０をキャリア８の対応する空洞３８に挿入した後、保持クリップ３０はキャリア８上に組み付けられる（例えば、下記の通り）ため、電気ケーブルアセンブリ１０がキャリア８の外に引き出されるのを防ぐ。電気ケーブルアセンブリ１０は、保持クリップ３０を取り外し、１つ以上の付随する電気ケーブル２０上でやさしく引くことにより、キャリア８から個別に又は一群として取り外すことができる。電気ケーブルアセンブリ１０を個別に又は一群として取り外し、取り換えられることは、例えば、１つ以上の破損又は欠陥のある電気ケーブル端子１８又は電気ケーブル２０を取り換えるときに有益である。
【００２０】
一実施形態では、保持クリップ３０及びキャリア８は、保持クリップ３０及びキャリア８を組み立て構成で保持するように構成される協同ラッチ素子４０を更に備える。図１及び図２に例示する実施形態では、保持クリップ３０は、ラッチポケット４０ｂをキャリア８上で係合するように偏向させる、ラッチアーム４０ａを含む。意図する用途に適するように、異なる及び／又は追加のラッチ素子４０を設けてもよいと理解されると共に、そのように意図されている。
【００２１】
保持クリップ３０は、電気ケーブル２０の少なくとも一部分を互いに分離するように構成される、複数の分離素子３２（図４に最良に例示する通り）を有する。電気ケーブル２０は、各々、１つ以上の伝導体３４と、１つ以上の伝導体３４を取り囲むグランドシールド３６と、を含む。一実施形態では、分離素子３２は、グランドシールド３６の露出部分が互いに電気的に接触するのを防ぐように、電気ケーブル２０のグランドシールド３６の露出部分を互いに分離するように構成される。一態様では、この構成により、隣接する電気ケーブル２０のグランドシールド３６の間で電気ショートの危険なくグランドシールド３６を通じた配電が容易になる。別の実施形態では、分離素子３２は、１つ以上の伝導体３４の露出部分が互いに電気的に接触するのを防ぐように、電気ケーブル２０の１つ以上の伝導体３４の露出部分を互いに分離するように構成される。一態様では、この構成により、隣接する電気ケーブル２０の１つ以上の伝導体３４の間で電気ショートの危険なく１つ以上の伝導体３４を通じた配電が容易になる。配電は、グランドシールド３６と、１つ以上の電気ケーブル２０の１つ以上の伝導体３４との両方を通じて行ってもよい。グランドシールド３６及び／又は１つ以上の伝導体３４を通じて電力を通すことは、追加の電力線又は電源コネクタの代わりとなってよく、そのため、コネクタの不動産及び費用を節約することから、システムデザイナーがより効果的に電力をシステムに供給するのを可能にする。一実施形態では、電気コネクタアセンブリ２は、線毎に約３Ａ未満の配電容量を有する。一態様では、このことは、各電気ケーブルアセンブリ１０が、電気ケーブル端子１８及び電気ケーブル２０を含め、約３Ａ未満の配電容量を有することを意味する。例えば、自動テスト装置（ＡＴＥ）の用途など、いくつかの用途では、線毎に約３Ａ未満の配電容量は、電力をシステムに適正に供給するのに十分である。一実施形態では、１つ以上の伝導体３４は、信号及び接地接続を供給するように構成され、グランドシールド３６は、単独の電気ケーブルアセンブリ１０が、信号と、接地と、電力接続と、をシステムに同時に供給するのを可能にする、電力接続を供給するように構成される。
【００２２】
保持クリップ３０の分離素子３２は、歪みレリーフを電気ケーブル２０に組織化及び／又は供給するように構成されてよい。分離素子３２は、電気ケーブル２０をキャリア８の近くで互いに平行になるように維持する際に助けとなる。一態様では、このことにより、各電気ケーブル２０及び電気ケーブル端子１８の相対位置の視程の改善がもたらされ、例えば、アセンブリの目視検査が容易になる。別の態様では、このことにより、キャリア８の近くの電気ケーブル２０の曲がりが低減され、そのため、キャリア８の近くの電気ケーブル２０の保全性と、各電気ケーブル２０の、対応する電気ケーブル端子１８への接続と、が保たれる。
【００２３】
一実施形態では、保持クリップ３０は、その配置及びキャリア８への組み付け中、個々の電気ケーブル２０を互いに分離するように、設計される。電気ケーブル２０の初期の分離は、保持クリップ３０の各分離素子３２が２本の隣接する電気ケーブル２０の少なくとも一部分の間に配置されるように、保持クリップ３０が配置されるときに、起こる。保持クリップ３０は、配置後、キャリア８に組み付けられる。
【００２４】
一実施形態では、保持クリップ３０をキャリア８に組み付けることは、保持クリップ３０を電気ケーブル２０に沿って摺動させることと、保持クリップを旋回させることと、保持クリップをキャリア８上へスナップさせることと、を含む。保持クリップ３０を、電気ケーブル２０に沿ってキャリア８に向けて摺動することにより、電気ケーブル２０の分離が継続される。保持クリップ３０の配置及び摺動は、電気ケーブル２０のコーミングとも呼ばれる。保持クリップ３０及び分離素子３２は、電気ケーブル２０の分離と組織化とを更に容易にするように、電気ケーブル２０のコーミングが反対方向に傾いた保持クリップ３０と共に（図１の矢印Ａで例示する通り）行うことができるように、設計される。保持クリップ３０がキャリア８に近づくと、協同配置素子４２（図５に最良に例示する通り）は、保持クリップ３０を、キャリア８に対して適切に揃え、配置する。例示した実施形態では、保持クリップ３０は、位置決めリブ４２ｂをキャリア８上で受けるように構成される、位置決め開口部４２ａを含む。意図する用途に適するように、異なる及び／又は追加の位置決め素子４２を設けてよいと理解されると共に、そのように意図されている。次に、保持クリップ３０がキャリア８に当接し、適切に揃えられ、配置されると、正方向に旋回され（図１の矢印Ｂで例示する通り）、ラッチ素子４０を用いてキャリア８にスナップされる。保持クリップ３０がキャリア８にスナップされた後、電気ケーブルアセンブリ１０がキャリア８と保持クリップ３０とにより保持され、保持クリップ３０の各分離素子３２は２本の隣接する電気ケーブル２０の少なくとも一部分の間に配置され、これにより、電気ケーブル２０の少なくとも一部分を互いに分離し（例えば、隣接する電気ケーブル２０のグランドシールド３６の間で電気ショートの危険なく電気ケーブル２０のグランドシールド３６を通じた配電を容易にし）、電気ケーブル２０を組織化し、及び／又は歪みレリーフを電気ケーブル２０に供給する。
【００２５】
意図する用途に適するように、スナップ嵌め、摩擦嵌め、プレス嵌め、機械的なクランピング、及び接着を含むがこれらに限定されない、異なる及び／又は追加の組み立て方法を行ってよいと理解されると共に、そのように意図されている。
【００２６】
本明細書で説明した実施形態及び実現形態の各々では、電気コネクタアセンブリ及びその素子の種々の構成要素が、任意の好適な材料で形成されている。材料は意図される用途によって選択され、金属及び非金属の両方を含んでよい（例えば、ポリマー、ガラス、及びセラミックスが挙げられるがこれらに限定されない非導電性材料の、いずれか１つ又は組合せ）。一実施形態では、電気絶縁構成要素、例えば、キャリア８及び保持クリップ３０などは、射出成形、押出成形、鋳造、機械加工、及び類似のものなどの方法によりポリマー材料で形成される一方、導電性構成要素、例えば、コンタクトピン１４及び電気ケーブル端子１８の部分などは、金型（molding）、鋳造、鍛造、機械加工、及び類似のものなどの方法により金属で形成される。材料選定は、少し挙げただけでも、化学薬品暴露条件、温度及び湿度条件を含む環境暴露条件、難燃性要件、材料強度、並びに剛性などを含むがこれらに限定されない要因に依存する。
【００２７】
好ましい実施形態の説明の目的のために、特定の実施形態を本明細書において例示し記述したが、同じ目的を達成すると予測される種々多様な代替及び／又は同等の実現形態が、本発明の範囲を逸脱することなく、図示及び説明された特定の実施形態に置き換わり得ることを、当業者は理解するであろう。機械、電気機械、及び電気分野における当業者であれば、本発明が種々多様な実施形態において実施されてもよいことを、容易に理解するであろう。本出願は、本明細書で説明された好ましい実施形態のいかなる翻案又は変形をも包含すべく意図されている。したがって、本発明が請求項及びその等価物によってのみ限定されることを、明示的に意図するものである。
【図１】
2012503297.tif 000003
【図２】
2012503297.tif 000004
【図３Ａ】
2012503297.tif 000005
【図３Ｂ】
2012503297.tif 000006
【図３Ｃ】
2012503297.tif 000007
【図４】
2012503297.tif 000008
【図５】
2012503297.tif 000009
【国際調査報告】
2012503297.tif 000010
2012503297.tif 000011